(57)【特許請求の範囲】
【請求項１】
鋼管の長手方向外周上に、鋼管同士を接続するための溶接された爪を有する鋼管矢板において、前記鋼管矢板の管端部の内周部に、少なくとも爪が溶接された最も熱収縮の影響を受ける部位と、それ以外の熱収縮の影響を受けない部位とを互いに固定するリブを接合したことを特徴とする鋼管矢板。
【請求項２】
前記リブの前記鋼管矢板の管端側端部の位置が、前記爪の前記鋼管矢板の管端側端部の位置よりも管端側に配置されていることを特徴とする請求項１記載の鋼管矢板。
【請求項３】
前記鋼管矢板の管端部に更に機械継手を接合したことを特徴とする請求項１乃至２記載の鋼管矢板。
【請求項４】
請求項１乃至２記載の鋼管矢板の製造方法であって、前記リブを鋼管矢板の原管となる鋼管の管端部に取り付け、次に、前記原管の管端部内周面における前記リブの接合位置方向に前記爪を仮付け溶接し、その後、前記爪を本溶接することを特徴とする鋼管矢板の製造方法。
【請求項５】
請求項１乃至２記載の鋼管矢板の製造方法であって、前記爪を鋼管矢板の原管となる鋼管の所定の位置に仮付け溶接し、次いで前記爪が仮付け溶接された部位と少なくともその９０°の方向もしくは４５°の方向に位置する部位とを互いに固定するようにリブを接合し、その後、前記爪を本溶接することを特徴とする鋼管矢板の製造方法。
【請求項６】
前記爪を仮付け溶接した後に、前記鋼管矢板の母材である鋼管の長手方向中央部の爪を接合する方向、あるいは、その９０°の方向の径を拡大することを特徴とする請求項４乃至５記載の鋼管矢板の製造方法。
【請求項７】
更に前記管端部に機械継手を接合することを特徴とする請求項４〜６のいずれかに記載の鋼管矢板の製造方法。
【発明の詳細な説明】
【技術分野】
【０００１】
本発明は、土木建設用の杭や土留めに使用される鋼管矢板及びその製造方法に関するものである。
【背景技術】
【０００２】
鋼管矢板を製造する際には、母材となる鋼管（以下、「母管」と称す）に鋼管同士を接続するための継手（形状としてはＰ−Ｐ型、Ｐ−Ｔ型、Ｌ−Ｔ型がある）を、通常は鋼管の長手方向に２箇所、あるいは、更に必要に応じてその９０°方向に溶接により接合固定する。なお、以下の本発明の説明においては、鋼管長手方向に設ける接続用継手を、単に「爪」と表現する。
母管に爪を溶接すると、当該溶接部が冷却する際に熱収縮のため、歪が発生し、鋼管が曲がったり、径が円周方向でいびつになり、真円度が悪化したりするという問題が発生していた。
【０００３】
その対策として、従来、特許文献１に開示されているような、原管（母管）の両端部では爪の直角方向に、原管の中央部では爪方向にそれぞれ歪付与部材を挿入し、爪を溶接した後にその部材を取り外すという技術が開示されている。
【特許文献１】特開昭５３−１４６２３８号公報
【発明の開示】
【発明が解決しようとする課題】
【０００４】
しかし、上記のような従来の方法では、管端部の真円度はある程度向上するものの、少なくとも管端部では、爪部が収縮するために、爪の接合部では長手方向に収縮し、爪の垂直部では収縮しないので管端面が歪曲し、管端部の平面度が悪化する。
管端部が水平でないと、例えば鋼管矢板同士を長手方向に接合する場合、管端同士を溶接する際に溶接面の間隔が周方向の位置によって異なり、鋼管矢板管端部の全周にわたって均一な溶接品質が得られなくなる。
あるいは、最近導入されつつある機械継手を鋼管矢板の管端部に溶接接合する場合にも同様に溶接の品質が悪化したり、溶接に長時間を要したり、機械継手が曲がって接合されたりするという問題が発生していた。加えて、爪溶接後に歪付与部材を取り外すことから、その作業が面倒であり、非能率的であった。
【０００５】
本発明は、上記従来技術の問題点に鑑みてなされたもので、その管端部の真円度を確保しつつ、更に、管端部の平面度にも優れた鋼管矢板とその製造方法を提供することを目的とする。
【課題を解決するための手段】
【０００６】
上記課題を解決するための本発明の鋼管矢板は、その外周上に鋼管同士を接続するための鋼管の長手方向に溶接された爪を有する鋼管矢板において、前記鋼管矢板の管端部の内周部に、少なくとも爪が溶接された最も熱収縮の影響を受ける部位と、それ以外の熱収縮の影響を受けない部位とを互いに固定するリブを接合したことを特徴とする。通常は、爪が鋼管断面の０°と１８０°の部位に設けられる場合には、これらの爪の部位と９０°ずれた部位を相互に固定するリブを設けるが、爪が０°、９０°、１８０°、２７０°の部位に設けられる場合には、これら爪の部位と４５°ずれた部位を相互に固定するリブを設けることとなる。
また、本発明では、上記鋼管矢板において、前記リブの前記鋼管矢板の管端側端部の位置が、前記爪の前記鋼管矢板の管端側端部の位置よりも管端側に配置されていることを特徴とする。加えて、前記鋼管矢板の管端部に更に機械継手を接合したことを特徴とする。
一方、本発明に係る鋼管矢板の製造方法は、上記に記載した鋼管矢板の製造方法であって、前記リブを鋼管矢板の原管となる鋼管の管端部に取り付け、次に、前記原管の管端部内周面における前記リブの接合位置方向に前記爪を仮付け溶接し、その後、前記爪を本溶接することを特徴とする。この製造過程では、爪の仮付け溶接の前に、リブを所定部位に取り付ける場合である。
また、本発明の鋼管矢板の製造方法は、前記爪を鋼管矢板の原管となる鋼管の所定の位置に仮付け溶接し、次いで前記爪が仮付け溶接された部位と少なくともその９０°の方向もしくは４５°の方向に位置する部位とを互いに固定するようにリブを接合し、その後、前記爪を本溶接することを特徴とする。この製造過程では、爪の仮付け溶接の後に、リブを所定部位に取り付け、更に爪の本溶接を行う場合である。
さらに、上記の本発明の製造方法において、前記爪を仮付け溶接した後に、前記鋼管矢板の母材である鋼管の長手方向中央部の爪を接合する方向、あるいは、その９０°の方向の径を拡大することを特徴とする。
更に、本発明の上記したいずれかの鋼管矢板の製造方法においては、前記管端部に機械継手を接合することも可能である。
【発明の効果】
【０００７】
本発明の鋼管矢板によれば、最も最適な位置にリブを取り付けたので、矢板の管端部の真円度及び平面度を確保できる。その結果、鋼管矢板同士を縦方向に接続する際や、あるいは、鋼管矢板端部に短時間で鋼管矢板同士を接続するための機械継手を接合する際に、精度良く、且つ、効率良く実施できる。また、本発明の製造方法によれば、上記のリブ付き鋼管矢板を効率良く製造することが可能となる。加えて、取り付けたリブは、爪溶接後も取り外すことなく、そのまま使用することができる。
【発明を実施するための最良の形態】
【０００８】
以下、本発明を鋼管矢板の製造方法に基づいて順次説明する。
１）リブの取り付け
まず、図１及び図２に示すように、本発明の特徴である固定リブ３を、爪（継手）２を仮付け溶接する予定の個所である、鋼管矢板１の管端部内側の所定の位置に取り付ける。取り付ける際には、爪２の本溶接の際に最も熱収縮を受ける爪を取り付けた部位、即ち、円周方向のある爪２の位置を０°とすると、０°と１８０°の位置である。それと最も熱収縮の影響を受けない９０°と２７０°の位置とを互いに一体的に固定するリブ３を溶接などの接合方法で完全に一体的に接合する。リブ３は、図示の例では、鋼管内部円に対し９０°ずつ円周方向にずらした状態で接合されるため、鋼板を十字状に形成したものを使用することが好ましい。
なお、上記のように爪２を０°と１８０°の位置だけでなく、９０°あるいは２７０°の位置にも接合する場合は、さらにその４５°ずれた位置にも一体的に固定するリブ３を接合しても良い。
【０００９】
このように鋼管矢板１内部に固定したリブ３により、管の長手方向に最も収縮する位置と最も収縮しない位置とが互いに拘束されることから、管端部の平面度が強固に保持される。リブ３に使用する板の厚みや幅などは、上記のような拘束力を発揮するものであればどのように設計しても良いが、厚みについては少なくとも鋼管矢板１の板厚以上のものを用いるのが好ましい。
また、リブ３の鋼管矢板１の長手方向における取り付け位置は、できる限り管端部に近い方が良い。また、図１のように少なくとも爪２の端部位置よりもリブ３の端部位置が鋼管矢板１の端部側に配置することが好ましい。その理由は、少なくともリブの一部が最も熱収縮の影響を受け易い部位の変形を抑制することができるからである。
【００１０】
２）爪の仮付け溶接
次に、仮付け溶接する爪２を鋼管矢板１の所定の位置に取り付ける。これは従来通りの方法で、熱影響がない程度に点付け溶接により爪２を所定の位置に固定する。爪２の数は、通常は対向する位置（０°、１８０°の位置）に２箇所、あるいは場合によって、更に９０°あるいは２７０°の位置にも取り付ける場合もある（合計で３箇所あるいは４箇所となる）。
通常、前記のようにリブ３の取り付けを先に行い、その後に爪２の仮付けを行うが、爪２の本溶接を行う前であれば、最初に爪２を仮付けし、その後にリブ３を取り付けても良い。
【００１１】
３）管中央部の拡径
爪取り付け位置の収縮力を予め緩和するために爪２の仮付け後、爪取り付け方向の径を予め拡径しておくことが望ましい。拡径することにより、爪２の本溶接時に爪の収縮により爪部の管長手方向の長さは本来の所定の長さに戻ることになり、熱収縮力が小さくなり収縮力を拘束しようとするリブ３にかかる負担が小さくなるからである。
しかし、場合によっては、例えば鋼管本体がスパイラル鋼管の場合、造管の条件によって残留応力が変化し、爪の９０°方向の位置が長手方向に収縮するケースもあり、その場合は、９０°方向に拡管する。
【００１２】
４）爪の本溶接
リブ３を取り付けた後、爪２を本溶接する。リブ３を図示のように熱収縮力に耐えることができる拘束力を発揮する部位に取り付けた後なので本溶接した後の収縮にも耐えて、管端の真円度や平面度が保たれることとなる。
【００１３】
５）機械継手の取り付け
爪２の本溶接の後、必要に応じて機械継手を取り付ける。機械継手は鋼管矢板や鋼管杭を軸方向に接続するための継手であり、溶接手段を用いずに接続しうるものである。例えば、一方の鋼管本体の管端部にボックス継手を、他方の鋼管本体の管端部にピン継手をそれぞれ溶接にて取付けておき、両継手をかん合することで接続する方式である。
本発明では上記の如くリブ３の働きにより鋼管矢板の管端部の平面度が保たれているので、機械継手と鋼管矢板とが均一の溶接条件で全周を溶接できるため、機械継手が均一な溶接品質で曲がることなく取り付けることができる。
【００１４】
６）リブを取り付け後の状態
本発明の鋼管矢板１は、リブ３を取り付けた後はそのままの状態で使用することができる。その理由は、当該鋼管矢板を例えば土中に埋める場合、リブ３自体が十分な空間を有しているので、埋設作業時に土がスムーズに鋼管矢板の中を通るので、鋼管矢板はスムーズに土中に埋設されるからである。
【実施例】
【００１５】
次に、製造された鋼管矢板について説明する。
実際に本発明を適用した例とそれ以外の比較例とを対比しながら本発明の効果を説明する。
図１及び図２の定義に従い、表１に鋼管矢板の製造条件とその結果についてまとめた。ここで、真円度は、爪方向とその４５°、９０°、１３５°の径の最大値と最小値との差をあらわしている。また平面度は、管端に水平な基準板をあてた場合の管と板との隙間の最大値を記載している。また、ａは鋼管矢板１の端部とリブ３の端部との距離、ｂはリブ３の端部と爪２と端との距離を示している。
本発明によって得た鋼管矢板では、真円度は、４〜１０ｍｍと小さく好ましい範囲に保たれているが、比較例では、１４〜４８ｍｍと大きくなっており、真円度としては満足できないものが認められる。特に、原管（母管）の肉厚の薄い比較例１では、４８ｍｍと非常に大きく、好ましくない。
また、平面度については、本発明の鋼管矢板では、０．９〜２．２ｍｍと小さく好ましい範囲に保たれているといえるが、比較例では、２．４〜３．０ｍｍと大きくなっており、本発明のものに対して平面度でも劣っているといえる。
【００１６】
【表１】
0004874271.tif 000002
【図面の簡単な説明】
【００１７】
【図１】本発明による鋼管矢板を示す概念図である。
【図２】本発明に係る鋼管矢板の軸方向からみた図である。
【符号の説明】
【００１８】
１‥鋼管矢板
２‥爪（接続継手）
３‥リブ
【図１】
0004874271.tif 000003
【図２】
0004874271.tif 000004